(57)【要約】【課題】本発明は、クリップの挟持物挿入口を容易に広げることが可能なクリップを提供することを課題とする。【解決手段】その幅が挟持物の最大の厚さとなり、挟持物を挟持したときに挟持物が接することとなる支承折り返し部と、支承折り返し部の上側でつながる上面挟持部と、上面挟持部と同じ向きで支承折り返し部の下側でつながる背面挟持部と、を有し、上面挟持部は背面挟持部よりは長く、上面挟持部と背面挟持部とは相互に近接する向きの弾発力が常時作用するようになっており、上面挟持部には空隙部があって、指先でその挟持部をとおって、上面挟持部の上側から背面挟持部を下方に押し下げることができる構成とした。【選択図】図１
2017053439.tif 000002
【特許請求の範囲】
【請求項１】
その幅が挟持物の最大の厚さとなり、挟持物を挟持したときに挟持物が接することとなる支承折り返し部と、
支承折り返し部の上側でつながる上面挟持部と、
上面挟持部と同じ向きで支承折り返し部の下側でつながる背面挟持部と、
を有し、
上面挟持部は背面挟持部よりは長く、
上面挟持部と背面挟持部とは相互に近接する向きの弾発力が常時作用するようになっており、
上面挟持部には空隙部があって、指先でその挟持部をとおって、上面挟持部の上側から背面挟持部を下方に押し下げることができる、
クリップ。
【請求項２】
その幅が挟持物の最大の厚さとなり、挟持物を挟持したときに挟持物が接することとなる支承折り返し部と、
支承折り返し部の上側でつながる上面挟持部と、
上面挟持部と同じ向きで支承折り返し部の下側でつながる背面挟持部と、
を有し、
上面挟持部は背面挟持部よりは長く、
上面挟持部と背面挟持部とは相互に近接する向きの弾発力が常時作用するようになっており、
上面挟持部には空隙部があり、
背面挟持部は支承折り返し部から離れたところで幅が狭くなり、その先端は上面挟持部の空隙部から上面挟持部の上方に出ており、指先で背面挟持部を下方に押し下げることができる、
クリップ。
【請求項３】
上面挟持部の先端が上方に反っていることを特徴とする請求項１又は２に記載のクリップ。
【請求項４】
背面挟持部の先端が下方に反っていることを特徴とする請求項１から３までに記載のクリップ。
【請求項５】
上面挟持部と背面挟持部の支承折り返し部に近い部分に折り返し部を設けたことを特徴とする請求項１から４までに記載のクリップ。
【請求項６】
支承折り返し部が上面挟持部及び背面挟持部につながる部分が外側に湾曲しその間が内側に湾曲していることを特徴とする請求項１から５までに記載のクリップ。
【発明の詳細な説明】
【技術分野】
【０００１】
この発明は、支承折り返し部の両側に上面挟持部と背面挟持部が同じ向きにつながっており、上面挟持部と背面挟持部とは相互に近接する向きの弾発力が常時作用するようになっており、かつ、開閉レバー等は備えていないクリップに関する。
【背景技術】
【０００２】
図８に示すようなクリップが市販されている。
【発明の概要】
【発明が解決しようとする課題】
【０００３】
このクリップは、挟持物挿入口を広げる手段を有しないので、挟持物の厚さがクリップの挟持物挿入口の広さより大きい場合、挟持物を挟持物挿入口に挿入するのが難しい。
この発明は、クリップの挟持物挿入口を容易に広げることが可能なクリップを提供することを課題としている。
【課題を解決するための手段】
【０００４】
上記の課題を解決するために、本発明の態様は、その幅が挟持物の最大の厚さとなり、挟持物を挟持したときに挟持物が接することとなる支承折り返し部と、支承折り返し部の上側でつながる上面挟持部と、上面挟持部と同じ向きで支承折り返し部の下側でつながる背面挟持部と、を有し、上面挟持部は背面挟持部よりは長く、上面挟持部と背面挟持部とは相互に近接する向きの弾発力が常時作用するようになっており、上面挟持部には空隙部があって、指先でその挟持部をとおって、上面挟持部の上側から背面挟持部を下方に押し下げることができる、ことを要旨とする。
【発明の効果】
【０００５】
本発明によれば、上面挟持部の先端を挟持物に当て、上面挟持部の空隙部から背面挟持部を指先で押さえれば容易に挟持物挿入口を広げることができ、厚みのある挟持物でも容易に挟持物挿入口に挿入できる。
【図面の簡単な説明】
【０００６】
【図１】本発明（請求項１）のクリップの斜視図（ａ）、側面図（ｂ）、平面図（ｃ）である。
【図２】本発明（請求項２）のクリップの斜視図（ａ）、側面図（ｂ）、平面図（ｃ）である。
【図３】本発明（請求項３）のクリップの側面図である。
【図４】本発明（請求項４）のクリップの側面図である。
【図５】本発明（請求項５）のクリップの斜視図（ａ）、側面図（ｂ）、平面図（ｃ）である。
【図６】本発明（請求項６）のクリップの側面図である。
【図７】本発明のクリップの使用法を示す側面図である。
【図８】従来例のクリップの斜視図（ａ）、側面図（ｂ）、平面図（ｃ）である。
【発明を実施するための形態】
【０００７】
発明を実施するための形態は、図１〜７のとおりである。
【０００８】
上面挟持部１の先端部が背面挟持部２の先端より前方にはみ出した部分を挟持物の上方から挟持物に当てることになるので、そのはみ出し量は必要十分な大きさとしなければならない。
【０００９】
押さえ孔４は、指先で上面挟持部１の上側から背面挟持部２を下方に押し下げることができ程度の大きさが必要である。
【００１０】
請求項２のクリップにおいては、上面挟持部１と背面挟持部２との弾発力が低下した場合、背面挟持部２の先端部が上面挟持部１の上方により多く飛び出すように力を加えることにより、弾発力を容易に回復することができる。
【００１１】
上面挟持部の先端の反り１ａを設けると上面挟持部１が挟持物５の上面を滑りやすくなり、挟持物５をクリップに挿入しやすくなる。
【００１２】
背面挟持部の先端の反り２ａを設けると、挟持物挿入口６が広くなる効果と、背面挟持部２が挟持物５の下面を滑りやすくなる効果があり、挟持物５をクリップに挿入しやすくなる。
【００１３】
上面挟持部の折り返し部１ｂと背面挟持部の折り返し部２ｂを設けると、クリップを挟持物から外すときに指掛となり、外すのが容易になる。
【００１４】
支承折り返し部３の形状を支承折り返し部３が上面挟持部１及び背面挟持部２につながる部分が外側に湾曲しその間が内側に湾曲している形状にすれば、支承折り返し部３が上面挟持部１又は背面挟持部２につながる部分にかかる力が分散される。
【００１５】
上面挟持部１及び背面挟持部２の先端部の形状は、四角張ることも可能である。
【００１６】
本発明のクリップの材質は、金属、プラスティックのほか竹等も可能である。
【符号の説明】
【００１７】
１    上面挟持部
１ａ  上面挟持部の先端の反り
１ｂ  上面挟持部の折り返し部
２    背面挟持部
２ａ  背面挟持部の先端の反り
２ｂ  背面挟持部の折り返し部
４    押さえ孔
５    挟持物
６    挟持物挿入口
【図１】
2017053439.tif 000003
【図２】
2017053439.tif 000004
【図３】
2017053439.tif 000005
【図４】
2017053439.tif 000006
【図５】
2017053439.tif 000007
【図６】
2017053439.tif 000008
【図７】
2017053439.tif 000009
【図８】
2017053439.tif 000010